(57)【特許請求の範囲】
【請求項１】
発光手段を本発光させる前にプリ発光させる撮像装置であって、
複数の測光領域で測光を行う測光手段と、
前記発光手段のプリ発光量を演算するプリ発光量演算手段と、
前記発光手段をプリ発光させたときに前記測光手段により測光を行うことにより得られた前記複数の測光領域の測光値に基づいて、前記発光手段の本発光量を演算する本発光量演算手段と、
撮影画面内の一部の領域を選択する選択手段と、を有し、
前記プリ発光量演算手段は、前記選択手段により選択された領域が前記撮影画面の中心部である場合よりも、前記選択された領域が前記撮影画面の周辺部である場合のほうが前記プリ発光量を大きくし、
前記本発光量演算手段は、前記発光手段をプリ発光させたときに前記測光手段により測光を行うことにより得られた前記複数の測光領域の測光値に対して、前記プリ発光量演算手段により演算されたプリ発光量に応じた第１の補正と前記撮影画面内の位置に応じた第２の補正とを行い、当該補正された複数の測光値に基づいて前記発光手段の本発光量を演算することを特徴とする撮像装置。
【請求項２】
前記選択手段は、前記プリ発光量演算手段により前記プリ発光量を演算する際の対象となる領域を選択することを特徴とすることを特徴とする請求項１に記載の撮像装置。
【請求項３】
焦点調節を行う焦点調節手段を有し、
前記選択手段は、前記撮影画面内の前記焦点調節手段により合焦させる領域を、前記プリ発光量演算手段により前記プリ発光量を演算する際の対象となる領域に選択することを特徴とする請求項２に記載の撮像装置。
【請求項４】
操作手段を有し、
前記選択手段は、前記操作手段への操作に基づいて、前記プリ発光量演算手段により前記プリ発光量を演算する際の対象となる領域に選択することを特徴とする請求項２に記載の撮像装置。
【請求項５】
前記プリ発光量演算手段は、前記選択された領域が前記撮影画面の周辺部である場合、前記撮影画面内の中心部に対する当該選択された領域の光量落ちを補償するように、前記選択された領域が前記撮影画面の中心部である場合よりも前記プリ発光量を大きくすることを特徴とする請求項１ないし４のいずれか１項に記載の撮像装置。
【請求項６】
前記撮像装置は、レンズユニットが着脱可能であって、
前記プリ発光量演算手段は、装着されたレンズユニットの種類に基づいて、前記選択された領域が前記撮影画面の中心部である場合と前記選択された領域が前記撮影画面の周辺部である場合との前記プリ発光量の差を設定することを特徴とする請求項１ないし５のいずれか１項に記載の撮像装置。
【請求項７】
着脱可能なレンズユニットに対応させた複数の周辺光量落ち特性に関する情報を記憶する記憶手段を有し、
前記プリ発光量演算手段は、前記装着したレンズユニットに対応した前記記憶手段に記憶された前記周辺光量落ち特性に関する情報に基づいて、当該周辺光量落ちを補償するように、前記選択された領域が前記撮影画面の中心部である場合と前記選択された領域が前記撮影画面の周辺部である場合との前記プリ発光量の差を設定することを特徴とする請求項６に記載の撮像装置。
【請求項８】
前記プリ発光量演算手段は、前記選択された領域が前記撮影画面の周辺部である場合、前記装着したレンズユニットに対応した前記記憶手段に記憶された前記周辺光量落ち特性に関する情報に基づいて、前記撮影画面内の中心部に対する当該選択された領域の光量落ち段数と略等しい段数だけ、前記選択された領域が前記撮影画面の中心部である場合よりも前記プリ発光量を大きくすることを特徴とする請求項７に記載の撮像装置。
【請求項９】
発光装置と撮像装置とを有し、前記発光装置を本発光させる前にプリ発光させるカメラシステムであって、
複数の測光領域で測光を行う測光手段と、
前記発光装置のプリ発光量を演算するプリ発光量演算手段と、
前記発光装置をプリ発光させたときに前記測光手段により測光を行うことにより得られた前記複数の測光領域の測光値に基づいて、前記発光装置の本発光量を演算する本発光量演算手段と、
前記撮像装置の撮影画面内の一部の領域を選択する選択手段と、を有し、
前記プリ発光量演算手段は、前記選択手段により選択された領域が前記撮影画面の中心部である場合よりも、前記選択された領域が前記撮影画面の周辺部である場合のほうが前記プリ発光量を大きくし、
前記本発光量演算手段は、前記発光手段をプリ発光させたときに前記測光手段により測光を行うことにより得られた前記複数の測光領域の測光値に対して、前記プリ発光量演算手段により演算されたプリ発光量に応じた第１の補正と前記撮影画面内の位置に応じた第２の補正とを行い、当該補正された複数の測光値に基づいて前記発光手段の本発光量を演算することを特徴とするカメラシステム。
【発明の詳細な説明】
【技術分野】
【０００１】
本発明は、発光装置を発光させた撮影が可能な撮像装置及びカメラシステムに関し、特に発光装置により本発光に先だって行われるプリ発光の発光量制御に関する。
【背景技術】
【０００２】
従来、ストロボ装置などの発光装置を発光させて静止画の撮影を行う場合に、本番撮影用の発光（以下、本発光とする）に先だって、露出等の被写体条件を測定するため予備発光（以下、プリ発光とする）を行う撮像装置及びカメラシステムが知られている。
【０００３】
例えば、特許文献１には、複数の測光領域を有する測光センサによってプリ発光が行われていないときの測光値とプリ発光時の測光値を取得し、それらの比に基づいて各測光領域の測光値に対する重み付け演算を行って本発光量を演算する撮像装置が記載されている。
【先行技術文献】
【特許文献】
【０００４】
【特許文献１】特開２００５−２７５２６５号公報
【発明の概要】
【発明が解決しようとする課題】
【０００５】
しかしながら、プリ発光時の測光結果に基づいて本発光量の演算を行う場合、測光センサのダイナミックレンジとレンズ、ピント板、測光センサのやぶにらみ角度等が原因で発生する測光光学系による周辺光量落ちの影響を考慮しなければならない。
【０００６】
測光センサとして、ダイナミックレンジの広いログセンサのようなものを用いる場合、周辺光量落ちが発生しても周辺部の測光値がダイナミックレンジ内に収まる可能性が高い。そのため、中心部を基準にして設定された発光量でプリ発光を行っても主被写体の位置によらず主被写体に対して適正な本発光量を演算することができる。
【０００７】
一方、測光センサとして、ダイナミックレンジの狭いＣＣＤ等のリニアセンサを用いる場合、ダイナミックレンジが広い測光センサに比べて周辺光量落ちの影響は大きい。例えば、ダイナミックレンジ１０段のリニアセンサを用いた場合、中央部では１０段だが、周辺部で６段光量落ちしていると、周辺部では４段程度しかダイナミックレンジがとれない。なお、上記では光量落ちの度合いを段数で表現しているが、この段数表現はＡＰＥＸ値に対応している。
【０００８】
そのため、周辺光量落ちが発生している領域に主被写体が存在している場合、中心部を基準にして設定された発光量でプリ発光を行うと主被写体の測光値が小さすぎてダイナミックレンジ内に収まらず、主被写の正確な測光値が得られないことがある。そのような場合、主被写体に対して適正な本発光量を演算することが困難となる。
【０００９】
そこで、本発明は、周辺光量落ちが発生している領域に主被写体が存在している場合でも、プリ発光時に主被写体の測光値を正確に取得できるようにすることを目的とする。
【課題を解決するための手段】
【００１０】
上記課題を解決するために、本発明にかかる撮像装置は、発光手段を本発光させる前にプリ発光させる撮像装置であって、複数の測光領域で測光を行う測光手段と、前記発光手段のプリ発光量を演算するプリ発光量演算手段と、前記発光手段をプリ発光させたときに前記測光手段により測光を行うことにより得られた前記複数の測光領域の測光値に基づいて、前記発光手段の本発光量を演算する本発光量演算手段と、撮影画面内の一部の領域を選択する選択手段と、を有し、前記プリ発光量演算手段は、前記選択手段により選択された領域が前記撮影画面の中心部である場合よりも、前記選択された領域が前記撮影画面の周辺部である場合のほうが前記プリ発光量を大きくし、前記本発光量演算手段は、前記発光手段をプリ発光させたときに前記測光手段により測光を行うことにより得られた前記複数の測光領域の測光値に対して、前記プリ発光量演算手段により演算されたプリ発光量に応じた第１の補正と前記撮影画面内の位置に応じた第２の補正とを行い、当該補正された複数の測光値に基づいて前記発光手段の本発光量を演算することを特徴とする。
【００１１】
また、上記課題を解決するために、本発明にかかるカメラシステムは、発光装置と撮像装置とを有し、前記発光装置を本発光させる前にプリ発光させるカメラシステムであって、複数の測光領域で測光を行う測光手段と、前記発光装置のプリ発光量を演算するプリ発光量演算手段と、前記発光装置をプリ発光させたときに前記測光手段により測光を行うことにより得られた前記複数の測光領域の測光値に基づいて、前記発光装置の本発光量を演算する本発光量演算手段と、前記撮像装置の撮影画面内の一部の領域を選択する選択手段と、を有し、前記プリ発光量演算手段は、前記選択手段により選択された領域が前記撮影画面の中心部である場合よりも、前記選択された領域が前記撮影画面の周辺部である場合のほうが前記プリ発光量を大きくし、前記本発光量演算手段は、前記発光手段をプリ発光させたときに前記測光手段により測光を行うことにより得られた前記複数の測光領域の測光値に対して、前記プリ発光量演算手段により演算されたプリ発光量に応じた第１の補正と前記撮影画面内の位置に応じた第２の補正とを行い、当該補正された複数の測光値に基づいて前記発光手段の本発光量を演算することを特徴とする。
【発明の効果】
【００１２】
本発明によれば、周辺光量落ちが発生している領域に主被写体が存在している場合でも、プリ発光時に主被写体の測光値を正確に取得することができる。
【図面の簡単な説明】
【００１３】
【図１】本発明にかかる実施の形態におけるカメラシステムの構成図である。
【図２】撮影を行う際のカメラシステムの各種動作を説明するフローチャートである。
【図３】測光光学系による周辺光量落ちの様子を示した図である。
【図４】主被写体の位置に応じたプリ発光量の補正値を示した図である。
【図５】プリ発光量の補正値を決定するためのプリ発光量補正テーブルの例である。
【発明を実施するための形態】
【００１４】
以下に、本発明の好ましい実施の形態を、添付の図面に基づいて詳細に説明する。図１は本発明にかかる実施の形態におけるカメラシステムの構成図である。本カメラシステムは、撮像装置であるカメラ本体１００、レンズユニット２００、発光装置であるストロボ装置３００で構成されている。
【００１５】
まず、カメラ本体１００の構成について説明する。マイクロコンピュータＣＣＰＵ（以下、カメラマイコンとする）１０１は、カメラ本体１００の各部を制御するものである。
赤外カットフィルタやローパスフィルタ等を含むＣＣＤ，ＣＭＯＳ等の撮像素子１０２は、レンズユニット２００の撮影レンズを介して被写体の像が結像される。
【００１６】
シャッター１０３は、非撮影時には撮像素子１０２を遮光し、撮影時には撮像素子１０２へ撮影レンズを介して入射した光を導くように移動する。ハーフミラー１０４は、非撮影時にレンズユニット２００を介して入射した光の一部を反射しピント板１０５に結像させる。
【００１７】
測光回路１０６は、複数の測光領域を有する測光センサを備えており、本実施の形態では、ＣＣＤ等の撮像素子を測光センサに使用して測光を行う構成である。また、測光センサは、後述するペンタプリズム１０７を介してピント板１０５に結像された被写体像をやぶにらみの位置から見込んでいる。
【００１８】
ペンタプリズム１０７は、ピント板１０５の被写体像を測光回路１０６内の測光センサ及び不図示の光学ファインダーに導く。
【００１９】
メモリ１０８は、周辺光量落ち特性に関する情報として、主被写体の位置に応じてプリ発光量を補正するためのプリ発光量補正データ及び周辺光量落ちした測光値を補正するための測光値補正データが記憶されている。測光値補正データ及びプリ発光量補正データの詳細については後述する。
【００２０】
焦点検出回路１０９は複数の焦点検出領域を有する焦点検出センサを備えている。
【００２１】
また、カメラ本体１００は、電源スイッチやシャッターボタンなどを含む不図示の操作部を有している。シャッターボタンを半押しするとＳＷ１がオンとなり、撮影準備動作が開始され、シャッターボタンを全押しするとＳＷ２がオンとなり、撮影動作が開始される。
【００２２】
また、操作部を操作することで、撮影画面内のどの領域を合焦させるか（どの領域にピントを合わせるか）を設定することが可能であり、ユーザーが操作部を操作して選んだ領域を合焦させることができる。なお、ユーザーが操作部を操作して任意の領域を設定していない場合などには、カメラマイコン１０１が所定のアルゴリズムによって自動で合焦させる領域を設定する。本実施の形態では、合焦させる領域の候補として予め複数の領域が決められていて、その候補の中から手動あるいは自動で特定の領域を選択する構成について説明する。なお、以下では、合焦させる領域の候補となる領域を示す枠をＡＦフレームと呼び、複数のＡＦフレームの中から特定のＡＦフレームを選択することで合焦させる領域が選択されるものとする。また、複数のＡＦフレームはそれぞれ焦点検出センサの複数の焦点検出領域と対応付けされていて、本実施の形態では、図５に示すように撮影画面内に１５点のＡＦフレームが設けられているものとする。
【００２３】
また、操作部を操作することで複数の測光モードから任意の測光モードを選択したり、複数の撮影モードから任意の撮影モードを選択したりすることが可能である。
【００２４】
次に、ストロボ装置３００の構成について説明する。マイクロコンピュータＳＣＰＵ（以下、ストロボマイコンとする）３０１は、ストロボ装置３００の各部の動作を制御するものである。
【００２５】
光量制御装置３０２は、後述する光源３０５を点灯させるために電池電圧を昇圧する昇圧回路や発光の開始及び停止を制御する電流制御回路等が含まれている。ストロボ装置３００の照射角を変更するズーム光学系３０３は、フレネルレンズなどのパネル等から成る。反射傘３０４は、キセノン管や白色ＬＥＤなどを用いた光源３０５の発光光束を集光して被写体に照射するために設けられている。
【００２６】
その他、レンズユニット２００はマイクロコンピュータＬＰＵ（以下、レンズマイコンとする）２０１を有していて、レンズマイコン２０１は、カメラマイコン１０１から通信される情報に基づいて撮影レンズを駆動させて焦点調節などを行う。また、レンズユニット２００は、不図示のメモリにレンズの種類を識別するための情報であるレンズ識別情報を記憶している。
【００２７】
次に、ストロボ撮影を行う際のカメラシステムの各種動作を図２のフローチャートを用いて説明する。
【００２８】
不図示の電源スイッチがオンされてカメラが起動した後、カメラマイコン１０１は、ステップＳ１０１においてシャッターボタンが半押しされてＳＷ１がオンとなっているか否かを判別し、オンならばステップＳ１０２へ進む。
【００２９】
ステップＳ１０２では、焦点検出回路１０９によって焦点検出動作を行い、カメラマイコン１０１は、検出結果に基づく情報をレンズマイコン２０１に送信する。レンズマイコン２０１は、送信された情報に基づいて撮影レンズを駆動させて焦点調節を行う。
【００３０】
ステップＳ１０３では、測光回路１０６により被写体の測光を行い、測光値を取得する。カメラマイコン１０１は、取得した各測光領域の測光値をメモリ１０８に記憶された測光値補正データに基づいて補正し、補正した各測光値に測光モードや撮影モードなどに基づいて決定される重み付けをした演算を行って最終的な測光値を決定する。そして、決定した最終的な測光値に基づいて撮影時の露光時間や絞り値などの露出制御値を演算する。
【００３１】
測光値補正データは、周辺光量落ちが発生した測光領域に対して、測光センサにより取得した測光値の光量落ち分を補正するためのデータであり、レンズ毎の周辺光量落ち特性にそれぞれ対応した複数の測光値補正テーブルとして記憶されている。例えば、左下のＡＦフレームに対応する周辺部の測光領域に対して、図３（ａ）に示すレンズＡでは、取得した測光値を２．２段大きくするような補正値が設定され、図３（ｂ）に示すレンズＢでは、取得した測光値を３．８段大きくするような補正値が設定される。
【００３２】
ステップＳ１０４では、カメラマイコン１０１は、ストロボ装置３００を自動発光させるモードの場合は、ステップＳ１０３で取得した測光値に基づいてストロボ装置３００の発光要否の判断を行う。ストロボ装置３００を発光させる場合はステップＳ１０５へ進み、発光させない場合はステップＳ１０８へ進む。なお、ストロボ装置３００を強制発光させるモードあるいは発光させないモードの場合、設定されたモードに応じて次のステップへ進む。
【００３３】
ステップＳ１０５では、カメラマイコン１０１がレンズマイコン２０１からレンズ識別情報を受信する。ここで、レンズの種類による測光光学系による周辺光量落ちの変化について、図３を用いて説明する。なお、図３では、撮影画面内における周辺光量落ちの様子に重ねてＡＦフレームを示している。また、図３（ａ）、（ｂ）では、撮影画面の中心部の光量を基準にして、各ＡＦフレームに対応する領域の光量落ち段数も示していて、段数の数値が大きいほど、光量落ちの度合いが大きい。すなわち、数値の大きい領域ほど光量の減少率が大きい。
【００３４】
図３（ａ）、（ｂ）に示したように、測光光学系の周辺光量落ちの度合いはレンズの種類によって大きく変化する。レンズＡとレンズＢとを比較すると、レンズＡよりもレンズＢのほうが周辺光量落ちの度合いが大きい。また、レンズＢは、中心から上側の領域よりも中心から下側の領域のほうが周辺光量落ちの度合いが大きい。
【００３５】
このようなレンズ毎の周辺光量落ち特性に対応するために、メモリ１０８には、主被写体の位置に応じてプリ発光量を補正するためのプリ発光量補正データが、レンズ毎の周辺光量落ち特性にそれぞれ対応した複数のプリ発光量補正テーブルとして記憶されている。
【００３６】
プリ発光量補正テーブルは、図４に示すような、中心部に合わせて設定された基準発光量に対して、各ＡＦフレームに対応する領域毎に光量落ちの度合いと略等しい補正値を設定したテーブルである。例えば、中心部のＡＦフレームに対応する領域の補正値は０に設定され、左下のＡＦフレームに対応する領域の補正値は４に設定されている。すなわち、図４に示す数値は、撮影画面の中心部とのプリ発光量の差を示す値であって、撮影画面の中心部から撮影画面の周辺部に向かうにつれてプリ発光量を大きくするように補正値が設定されている。このプリ発光量補正テーブルにおける主被写体が存在する領域に対応した補正値を用いてプリ発光量を補正することで、主被写体に対して適正なプリ発光量とすることができる。
【００３７】
ステップＳ１０６では、カメラマイコン１０１は、メモリ１０８に記憶された複数のプリ発光量補正テーブルの中から、ステップＳ１０４にて取得したレンズ識別情報に対応したプリ発光量補正テーブルを用いてプリ発光量演算を行う。
【００３８】
このとき、ステップＳ１０２で焦点調節を行う際に選択されているＡＦフレームに対応する領域が主被写体の存在する領域と考えられるため、プリ発光量補正テーブルにおける選択されているＡＦフレームに対応する領域の補正値を用いてプリ発光量演算を行う。例えば、図４に示す位置に主被写体が存在し左下のＡＦフレームが選択されている場合、選択されているＡＦフレームに対応する領域、すなわち、プリ発光量を演算する際の対象領域は、中心部に比べて３．８段光量落ちが生じている。そこで、プリ発光量補正テーブルに基づいて、基準発光量よりプリ発光量を４段大きく補正することで、左下のＡＦフレームに対応する領域のプリ発光時の測光値が大きくなり、測光値を測光センサのダイナミックレンジ内に収めることができる。
【００３９】
なお、カメラマイコン１０１が所定のアルゴリズムによって自動でＡＦフレームを選択する場合に、主被写体の移動に合わせて選択するＡＦフレームが変更されたときには、選択するＡＦフレームが変更されるたびにプリ発光量を再演算すればよい。ユーザーの操作によって選択するＡＦクレームが変更された場合も同様に、プリ発光量を再演算すればよい。
【００４０】
また、ユーザーが設定した発光量で本発光を行うモードである場合などプリ発光を行わない場合には、ステップＳ１０６を省略しても構わない。
【００４１】
ステップＳ１０７では、カメラマイコン１０１は、ステップＳ１０６で演算されたプリ発光量等の発光制御情報をストロボマイコン３０１へ送信する。
【００４２】
ステップＳ１０８では、カメラマイコン１０１は、シャッターボタンが全押しされてＳＷ２がオンとなっているか否かを判別し、オンならばステップＳ１０９へ進み、オフならばステップＳ１０１へ戻る。
【００４３】
ステップＳ１０９では、カメラマイコン１０１は、ステップＳ１０４と同様にしてストロボ装置３００の発光要否の判断を行い、ストロボ装置を発光させる場合はステップＳ１１０へ進み、発光させない場合はステップＳ１１３へ進む。
【００４４】
ステップＳ１１０では、ストロボ装置３００をプリ発光させる前に測光回路１０６によりストロボ装置３００を発光させていない状態で被写体の測光を行い、非発光時測光値を取得する。
【００４５】
ステップＳ１１１では、ステップＳ１０６にて演算したプリ発光量に基づいてストロボ装置３００をプリ発光させ、測光回路１０６によりプリ発光している状態で被写体の測光を行い、プリ発光時測光値を取得する。
【００４６】
ステップＳ１１２では、カメラマイコン１０１は、ステップＳ１１０で取得した非発光時測光値とステップＳ１１１で取得したプリ発光時測光値とに基づいてストロボ装置３００の本発光量演算を行う。
【００４７】
本発光量の演算方法の一例について、図４に示す場合を例にして説明する。
【００４８】
図４に示す位置に主被写体が存在し左下のＡＦフレームが選択されている場合、基準発光量をＡ０とすると、プリ発光量Ａはプリ発光量補正テーブルに基づいて、Ａ＝Ａ０×２４となる。
【００４９】
次に、発光量を補正してプリ発光を行い得られたプリ発光時測光値から非発光時測光値を減算したプリ発光成分測光値Ｂを求める。そして、プリ発光成分測光値Ｂに基づいて、基準発光量でプリ発光した場合に想定されるプリ発光成分測光値Ｃを演算すると、Ｃ＝Ｂ×２−４となる。
【００５０】
次に、プリ発光成分測光値Ｃを測光値補正テーブルに基づいて補正する。例えば、左下のＡＦフレームに対応する測光領域の周辺光量落ち補正後の測光値Ｄは、Ｄ＝Ｃ×２３．８となる。
【００５１】
上記のようにして各測光領域の測光値に対して周辺光量落ち補正を行い、補正後の各測光値Ｄに測光モードや撮影モードなどに基づいて決定される重み付けをした演算を行って最終的な測光値Ｅを求める。そして、目標測光値Ｆとなるような本発光量Ｇを演算すると、Ｇ＝Ａ０×Ｆ／Ｅとなる。
【００５２】
なお、上記の演算方法は一例であって、プリ発光時測光値に基づいて本発光量を演算する方法であれば異なる方法であってもよい。例えば、プリ発光時測光値に比べて非発光時測光値は無視できるほど小さいと考えて、プリ発光成分測光値Ｂ＝プリ発光測光値として本発光量を演算しても構わない。
【００５３】
ステップＳ１１３では、カメラマイコン１０１は撮影を行う。ストロボ装置３００を発光させる場合には、撮影に伴ってストロボ装置３００をステップＳ１１２で演算した本発光量で発光させる。
【００５４】
以上のように、周辺光量落ちが発生する領域に主被写体が存在する場合であっても、周辺光量落ちを補償するように主被写体の位置に応じてプリ発光量を補正することで、プリ発光時の主被写体の測光値を測光センサのダイナミックレンジ内に収めることができる。そのため、プリ発光時に主被写体の測光値を正確に取得することができ、主被写体に対して適正な本発光量を演算することができる。
【００５５】
なお、上述した実施の形態では、プリ発光量補正テーブルはレンズ毎の周辺光量落ち特性にそれぞれ対応したものであったが、測光光学系の周辺光量落ちはピント板の種類によっても変化するため、ピント板の種類も考慮したプリ発光量補正テーブルを用いてもよい。例えば、図５に示すように、標準ピント板を用いたときと交換ピント板Ａを用いたときとで測光光学系の周辺光量落ち特性は異なっている。そこで、レンズの種類とピント板の種類とを組み合わせたプリ発光量補正テーブルをメモリ１０８に記憶しておき、プリ発光量を演算する際には、レンズの種類及びピント板の種類に基づいて適したプリ発光量補正テーブルを選択するようにしてもよい。なお、ピント板の種類については、取り付けたピント板の種類を自動で識別する機構を設けてもよいし、取り付けたピント板の種類をユーザーが操作部を操作して入力するようにしてもよい。識別可能なレンズの種類及びピント板の種類は図５に示した数に限定されるものではない。
【００５６】
また、ＡＦフレームの数も図５に示した数に限定されるものではなく、予め決められた位置に設定されていなくてもよい。例えば、不図示の被写体検出部により検出された被写体領域の位置あるいはユーザーが指定した任意の位置にＡＦフレームが設定され、被写体の動きに追従してＡＦフレームが移動するような構成であってもよい。そのような構成の場合、上記の実施の形態のようにＡＦフレームに対応させてプリ発光量の補正値を設定しても有効ではない。そこで、周辺光量落ちの度合いをマップ化し、どの位置にＡＦフレームが存在するかに応じてプリ発光量の補正値を決定するようにすればよい。あるいは、図３に示すように、撮影画面内を周辺光量落ちの度合いに基づいて複数の領域に分割し、分割領域毎にプリ発光量の補正値を設定しておき、ＡＦフレームがどの領域に存在するかに応じてプリ発光量の補正値を決定するようにしてもよい。
【００５７】
また、レンズの種類を識別するために、ユーザーが操作部を操作してレンズの種類を入力するようにしてもよい。
【００５８】
また、レンズ識別情報が取得できない場合などレンズの種類が識別できない場合には、プリ発光量の補正を行うことができないため、主被写体が周辺光量落ちの度合いが大きい領域に存在する場合に、不図示の表示部などにより警告を報知するようにしてもよい。
【００５９】
また、焦点調節を行って合焦させる領域とプリ発光量を演算する際の対象領域とが一致していなくてもよく、それぞれの領域を独立して設定するような構成であっても構わない。
【００６０】
また、主被写体が周辺光量落ちの度合いが大きい領域に存在する場合、プリ発光量を大きくするように補正することで、その他の領域の測光値が測光センサのダイナミックレンジをオーバーすることが考えられる。そのため、選択されたＡＦフレームに対応する測光領域の重み付けを他の測光領域よりも大きくする測光モードや撮影モードが設定された場合にプリ発光量の補正を行うようにするのが望ましい。特に、選択されたＡＦフレームに対応する測光領域を含む一部領域の測光値のみを用いる測光モードや撮影モードが設定された場合にプリ発光量の補正を行うようにするのが望ましい。
【００６１】
また、発光装置としてカメラ本体に着脱可能なストロボ装置を装着して用いる構成ではなく、カメラ本体に内蔵された発光部を用いる構成であっても構わない。また、カメラ本体に着脱可能なレンズユニットを装着して用いる構成ではなく、レンズユニットがカメラ本体と一体である構成であっても構わない。その他、本発明は、その要旨の範囲内で種々の変形及び変更が可能である。
【符号の説明】
【００６２】
１００  カメラ本体
１０１  カメラマイコン
１０２  撮像素子
１０５  ピント板
１０６  測光回路
１０８  メモリ
１０９  焦点検出回路
２００  レンズユニット
２０１  レンズマイコン
３００  ストロボ装置
３０１  ストロボマイコン
３０２  ストロボ光量制御装置
【図１】
0005818488.tif 000002
【図２】
0005818488.tif 000003
【図３】
0005818488.tif 000004
【図４】
0005818488.tif 000005
【図５】
0005818488.tif 000006